(57)【要約】【課題】雨水の勢いが和らげられて飛散は確実に防止され、雨水が水平部軒樋へとスムーズに案内されるようになる軒樋接続構造を提供する。【解決手段】出隅曲がり部材１を屋根２のコーナー部位２ａに水平状に配置し、出隅曲がり部材１の一端３には軒先２ｂに沿って配置される水平部軒樋４の端部を接続し、同出隅曲がり部材１の他端５には止まり部材６を付設し、水平部軒樋４と平面視直交する方向に配置される勾配部軒樋７の水下側端部８を止まり部材６の上から出隅曲がり部材１内に差し入れるように納め、勾配部軒樋７を出隅曲がり部材１の他端５側に対し平面視直線状に連続配置してなる軒樋接続構造において、出隅曲がり部材１の他端５側の内部に勾配部軒樋７の水下側端部８から排出される流水の抵抗となる網状板９を付設した。【選択図】図１
2008002145.tif 000002
【特許請求の範囲】
【請求項１】
上方へ開口した樋状の出隅曲がり部材を屋根のコーナー部位に対応させて水平状に配置し、出隅曲がり部材の一端には軒先に沿って配置される水平部軒樋の端部を接続し、同出隅曲がり部材の他端には止まり部材を付設し、水平部軒樋と平面視直交する方向に配置される勾配部軒樋の水下側端部を止まり部材の上から出隅曲がり部材の内部に斜め下方へと差し入れるように納めて、勾配部軒樋を出隅曲がり部材の他端側に対し平面視直線状に連続配置してなる軒樋接続構造であり、出隅曲がり部材の他端側の内部に勾配部軒樋の水下側端部から排出される流水の抵抗となる網状板を付設してなる軒樋接続構造。
【請求項２】
出隅曲がり部材の一端側、他端側間の中程角部位における上方開口部分を覆う飛散防止蓋板を備え、出隅曲がり部材の他端側に位置する同飛散防止蓋板の端縁に網状板を一体に垂設したことを特徴とする請求項１記載の軒樋接続構造。
【請求項３】
出隅曲がり部材の前壁部は後壁部よりも高く形成されており、前壁部よりも低い位置で同前壁部と後壁部との間に飛散防止蓋板を架設したことを特徴とする請求項２記載の軒樋接続構造。
【発明の詳細な説明】
【技術分野】
【０００１】
本願発明は、屋根のコーナー部位において、軒先に沿って配置される水平部軒樋とこの水平部軒樋と平面視直交する方向に配置される勾配部軒樋とを、出隅曲がり部材を介して連続配置してなる軒樋接続構造に関するものである。
【背景技術】
【０００２】
従来から、軒先コーナー部位において、軒先に沿って配置される水平部軒樋と、この水平部軒樋と平面視直交する方向に配置される勾配部軒樋と、を接続する施工が行なわれている。例えば、図４に示すように、屋根２のコーナー部位２ａにおいて、軒先２ｂに沿って配置される水平部軒樋４とこの水平部軒樋４と平面視直交する方向に配置される勾配部軒樋７とを、出隅曲がり部材１を介して連続配置してなる軒樋接続構造として施工することが考えられる。
【０００３】
この場合、上方へ開口した樋状の出隅曲がり部材１を屋根２のコーナー部位２ａに対応させて水平状に配置し、出隅曲がり部材１の一端３には軒先２ｂに沿って配置される水平部軒樋４の端部を接続し、同出隅曲がり部材１の他端５には止まり部材６を付設し、水平部軒樋４と平面視直交する方向に配置される勾配部軒樋７の水下側端部８を止まり部材６の上から出隅曲がり部材１の内部に斜め下方へと差し入れるように納めて、勾配部軒樋７を出隅曲がり部材１の他端５側に対し平面視直線状に連続配置する施工を行なうことができる。
【０００４】
このような施工は、屋根のけらば部位や入隅状に切れ込んだ部位等で軒樋を施工する場合に行われるものであり、これによって上位の軒樋から下位の軒樋へと雨水を案内することができるようになる。ところが、この場合、勾配部軒樋７から出隅曲がり部材１へと雨水が流下する際に、雨水はその流れの勢いで出隅曲がり部材１の前壁部１１を乗り越え前方Ａへと溢れ出て飛散し易く、出隅曲がり部材１から水平部軒樋４へと案内され難くなるという問題が生じるものである。
【０００５】
また、一般に、屋根から流下する雨水が軒樋から溢れ出て飛散することを防止するために、軒樋の前側上縁部分に飛散防止板を立設することも行われている（特開平１０−１０２６９８号公報参照）。この場合、勢い良く流下する雨水を飛散防止板で当て止めて前方への飛散を防止しようとするものであり、雨水が当止されることで上方や側方へと飛散することは防止されないものであって、前記のような出隅曲がり部材１に採用されても、雨水の飛散を確実には防止することができず、雨水は水平部軒樋４へとスムーズに案内されないものである。
【特許文献１】特開平１０−１０２６９８号公報
【発明の開示】
【発明が解決しようとする課題】
【０００６】
本願発明は、上記背景技術に鑑みてなされたものであり、その課題は、勾配部軒樋の水下側端部から流出される雨水の勢いが出隅曲がり部材の内部で和らげられて、雨水は出隅曲がり部材の前壁部の内側面に勢い良く当たらず、その飛散が確実に防止されて雨水は水平部軒樋へとスムーズに案内されるようになる軒樋接続構造を提供することである。
【課題を解決するための手段】
【０００７】
上記課題を解決するために、本願請求項１記載の発明は、上方へ開口した樋状の出隅曲がり部材を屋根のコーナー部位に対応させて水平状に配置し、出隅曲がり部材の一端には軒先に沿って配置される水平部軒樋の端部を接続し、同出隅曲がり部材の他端には止まり部材を付設し、水平部軒樋と平面視直交する方向に配置される勾配部軒樋の水下側端部を止まり部材の上から出隅曲がり部材の内部に斜め下方へと差し入れるように納めて、勾配部軒樋を出隅曲がり部材の他端側に対し平面視直線状に連続配置してなる軒樋接続構造であり、出隅曲がり部材の他端側の内部に勾配部軒樋の水下側端部から排出される流水の抵抗となる網状板を付設してなる。
【０００８】
また、本願請求項２記載の発明は、請求項１記載の軒樋接続構造において、出隅曲がり部材の一端側、他端側間の中程角部位における上方開口部分を覆う飛散防止蓋板を備え、出隅曲がり部材の他端側に位置する同飛散防止蓋板の端縁に網状板を一体に垂設したことを特徴としている。
【０００９】
また、本願請求項３記載の発明は、請求項２記載の軒樋接続構造において、出隅曲がり部材の前壁部は後壁部よりも高く形成されており、前壁部よりも低い位置で同前壁部と後壁部との間に飛散防止蓋板を架設したことを特徴としている。
【発明の効果】
【００１０】
本願請求項１記載の発明である軒樋接続構造においては、出隅曲がり部材の勾配部軒樋が差し入れられる側の内部に、差し入れられる同勾配部軒樋の水下側端部から排出される流水の抵抗となる網状板を付設しているので、この網状板で同勾配部軒樋の水下側端部から流出される雨水の勢いが和らげられて、雨水は出隅曲がり部材の前壁部の内側面に勢い良く当たらず、その飛散が確実に防止されて雨水は水平部軒樋へとスムーズに案内されるようになる。
【００１１】
また、本願請求項２記載の発明である軒樋接続構造においては、特に、出隅曲がり部材の一端側、他端側間の中程角部位における上方開口部分を覆う飛散防止蓋板を備えているので、雨水の上方への飛散がより確実に防止され、そして、出隅曲がり部材の他端側に位置する同飛散防止蓋板の端縁に前記網状板を一体に垂設しているので、飛散防止蓋板と網状板とは一体化されて出隅曲がり部材に対し付設し易いものとなる。
【００１２】
また、本願請求項３記載の発明である軒樋接続構造においては、特に、出隅曲がり部材の前壁部が後壁部よりも高く形成され、前壁部よりも低い位置で同前壁部と後壁部との間に飛散防止蓋板は架設されるので、前方から飛散防止蓋板及び網状板が見えなくて外観良好となる。
【発明を実施するための最良の形態】
【００１３】
図１〜３は、本願請求項１〜３の全てに対応した一実施形態を示している。この実施形態の軒樋接続構造では、上方へ開口した樋状の出隅曲がり部材１を屋根２のコーナー部位２ａに対応させて水平状に配置し、出隅曲がり部材１の一端３には軒先２ｂに沿って配置される水平部軒樋４の端部を接続し、同出隅曲がり部材１の他端５には止まり部材６を付設している。
【００１４】
そして、前記水平部軒樋４と平面視直交する方向に配置される勾配部軒樋７の水下側端部８を前記止まり部材６の上から前記出隅曲がり部材１の内部に斜め下方へと差し入れるように納めて、勾配部軒樋７を出隅曲がり部材１の他端５側に対し平面視直線状に連続配置している。この場合に、出隅曲がり部材１の他端５側の内部に勾配部軒樋７の水下側端部８から排出される流水の抵抗となる網状板９を付設してなる。
【００１５】
この実施形態の軒樋接続構造では、出隅曲がり部材１の一端３側、他端５側間の中程角部位における上方開口部分を覆う飛散防止蓋板１０を備え、出隅曲がり部材１の他端５側に位置する同飛散防止蓋板１０の端縁に網状板９を一体に垂設している。また、この場合には、図３に示すように、出隅曲がり部材１の前壁部１１が後壁部１２よりも高く形成されており、前壁部１１よりも低い位置で同前壁部１１と後壁部１２との間に飛散防止蓋板１０を架設している。
【００１６】
以下、この実施形態の軒樋接続構造をより具体的詳細に説明する。この実施形態の軒樋接続構造は、図１に示すように、屋根２の入隅状に切れ込んだ部位の前側出隅部分となるコーナー部位２ａに対応して施工されている。この場合、上位の軒先２ｃに沿って配置される上位軒樋１３と、下位の軒先２ｂに沿って配置される水平部軒樋４とを、平面視直角に屈曲した形状となるよう接続連通させる流水経路の一部の構成として、この実施形態の軒樋接続構造は配設施工されている。
【００１７】
前記流水経路にあっては、水上側（軒先２ｃ）の上位軒樋１３から水下側（軒先２ｂ）の水平部軒樋４へと、入隅曲がり部材１４、屈曲継手１５、勾配部軒樋７、出隅曲がり部材１がこの順で配置接続され施工されている。この場合、各部材及び上位軒樋１３、水平部軒樋４等の各構成部材相互間の接続は、接着、嵌合、溶接等の適宜結合手段にて行なわれる。そして、入隅曲がり部材１４の水上側端は軒先２ｃに沿った上位軒樋１３の端部に接続され、水下側端が屈曲継手１５の水上側の端部に接続されている。
【００１８】
屈曲継手１５は水平な入隅曲がり部材１４と下り傾斜した勾配部軒樋７とを接続するもので、その水下側の上方開口部分に飛散防止カバー１６が架設されており、この飛散防止カバー１６によって雨水が屈曲継手１５から水平方向へ勢い良く飛び出して飛散することを防止している。屈曲継手１５は側面視略へ字状に屈曲していて、その水下側の端部が勾配部軒樋７の水上側端部に接続されている。そして、勾配部軒樋７の水下側端部８が、出隅曲がり部材１の内部に導入配置されている。
【００１９】
この場合、出隅曲がり部材１が屋根２のコーナー部位２ａに適合配置され、出隅曲がり部材１の一端３には水平部軒樋４の端部が接続され、同出隅曲がり部材１の他端５には止まり部材６が付設されており、勾配部軒樋７の水下側端部８は止まり部材６の上から出隅曲がり部材１の内部に斜め下方へと差し入れるように納められ、勾配部軒樋７が出隅曲がり部材１の他端５側に対して平面視直線状に連続配置されている。そして、勾配部軒樋７の水下側端部８から排出される雨水の飛散を防止するため、出隅曲がり部材１には網状板９及び飛散防止蓋板１０が付設されている。
【００２０】
この実施形態の軒樋接続構造では、飛散防止蓋板１０が略正方形状で、出隅曲がり部材１の一端３側、他端５側間の中程角部位における上方開口部分を覆うものであり、出隅曲がり部材１の他端５側に位置する同飛散防止蓋板１０の端縁には網状板９が一体に垂設されている。また、この場合、図３に示すように、出隅曲がり部材１の前壁部１１が後壁部１２よりも高く形成されており、前壁部１１よりも低い位置で同前壁部１１と後壁部１２との間に飛散防止蓋板１０は架設されている。
【００２１】
この場合、出隅曲がり部材１の前壁部１１は前方へ傾倒しており、その上端縁に後方内側へと折れ曲がって中空状の前耳部１７が一体に形成され、後壁部１２は直立状でその上端縁に中空状の後耳部１８が一体に形成されている。飛散防止蓋板１０は平板状でその後端縁が出隅曲がり部材１の後耳部１８の隅部上端に載置され、その前端縁は出隅曲がり部材１の前壁部１１内側面に前耳部１７の下方位置で当止されて、出隅曲がり部材１に対し溶接、接着等の結合手段で固着されている。なお、飛散防止蓋板１０及び網状板９は共に一体となって、出隅曲がり部材１に対し着脱自在に付設されてもよい。
【００２２】
また、この実施形態の軒樋接続構造では、出隅曲がり部材１が他の上位軒樋１３、水平部軒樋４、入隅曲がり部材１４、屈曲継手１５、勾配部軒樋７等と同じ素材で、断面形状も略同一に形成されており、例えば、金属や合成樹脂、或いは、これ等の複合材料で形成されている。そして、飛散防止蓋板１０及び網状板９も出隅曲がり部材１と同じ素材で形成することができ、飛散防止蓋板１０、網状板９両者を一体に形成して、不要な場合に取り外すことができるようにすることもできる。
【００２３】
したがって、この実施形態の軒樋接続構造においては、出隅曲がり部材１の勾配部軒樋７が差し入れられる側の内部に、差し入れられる同勾配部軒樋７の水下側端部８から排出される流水の抵抗となる網状板９を付設しているので、この網状板９により同勾配部軒樋７の水下側端部８から流出される雨水の勢いが和らげられて、雨水は出隅曲がり部材１の対向する前壁部１１の内側面に勢い良く当たらず、その飛散が確実に防止されて雨水は水平部軒樋４へとスムーズに案内され、その際、水平部軒樋４への落ち葉やごみ等の侵入も防止される。
【００２４】
また、この実施形態の軒樋接続構造においては、出隅曲がり部材１の一端３側、他端５側間の中程角部位における上方開口部分を覆う飛散防止蓋板１０を備えているので、雨水の上方への飛散がより確実に防止され、そして、出隅曲がり部材１の他端５側に位置する同飛散防止蓋板１０の端縁に前記網状板９を一体に垂設しているので、飛散防止蓋板１０と網状板９とは一体化されて出隅曲がり部材１に対し付設し易いものとなり、部材削減や製造の簡略化にも繋がってコストの低減化が図られる。
【００２５】
更に、この場合、出隅曲がり部材１の前壁部１１が後壁部１２よりも高く形成され、前壁部１１よりも低い位置で同前壁部１１と後壁部１２との間に飛散防止蓋板１０は架設されるので、前方から飛散防止蓋板１０及び網状板９が見えることはなく、外観が良好に納まる。なお、飛散防止蓋板１０を網状板９と共に、出隅曲がり部材１に対し嵌合等の結合手段で着脱自在に付設してやれば、不要なときに同飛散防止蓋板１０及び網状板９を取り外すことができ、メンテナンス時の取り替えや梱包等に際して便利である。
【図面の簡単な説明】
【００２６】
【図１】本願発明の一実施形態である軒樋接続構造の施工状態を示す概略斜視図。
【図２】同軒樋接続構造における出隅曲がり部材を示す平面図。
【図３】図２におけるＸ−Ｘ断面図。
【図４】従来例の施工状態を示す概略斜視図。
【符号の説明】
【００２７】
１  出隅曲がり部材
２  屋根
２ａ  コーナー部位
２ｂ  軒先
３  一端
４  水平部軒樋
５  他端
６  止まり部材
７  勾配部軒樋
８  水下側端部
９  網状板
１０  飛散防止蓋板
１１  前壁部
１２  後壁部
【図１】
2008002145.tif 000003
【図２】
2008002145.tif 000004
【図３】
2008002145.tif 000005
【図４】
2008002145.tif 000006